(57)【要約】【課題】フレームをラックに対して仮固定できるようにし、取付ねじによるフレームの固定作業の際の作業性を向上させたパッチパネルを提供する。【解決手段】パッチコードの末端に設けたモジュラプラグが着脱自在に差し込まれるモジュラジャック２がフレーム１に複数個保持される。フレーム１は取付ねじを用いてラックに取り付けられる。フレーム１の左右両端部には固定片１１が設けられ、各固定片１１には取付ねじが挿入される上下２個ずつの固定用孔１２ａ，１２ｂが穿孔される。下側の固定用孔１２ｂの下縁は開放されて導入用スリット１３の上端に連続し、導入用スリット１３の可鍛は固定片１１の下縁に開放される。導入用スリット１３は取付ねじを固定片１１の下縁から固定用孔１２ｂに導入する幅寸法に形成される。【選択図】        図１
2005209388.tif 000002
【特許請求の範囲】
【請求項１】
パッチコードの末端に設けたプラグが着脱自在に差し込まれるコネクタをラックに取り付けられるフレームに複数個保持したパッチパネルであって、フレームの側部には、フレームをラックに固定するための取付ねじを挿入する固定用孔であってフレームの周縁に開放されるとともに取付ねじをフレームの周縁から導入する幅寸法を有した導入用スリットに連通する固定用孔が形成されて成ることを特徴とするパッチパネル。
【請求項２】
前記固定用孔はフレームの左右両側部に形成され、前記導入用スリットは一端が固定用孔に連続し他端がフレームの下縁に開放されていることを特徴とするパッチパネル。
【発明の詳細な説明】
【技術分野】
【０００１】
本発明は、ラックに取り付けて用いるパッチパネルに関するものである。
【背景技術】
【０００２】
従来から、信号伝送を行う種々の信号路において信号路の接続関係の変更を容易にするために、パッチコード（パッチラインコード）を着脱可能に差し込むようにしたパッチパネルが広く採用されている。パッチコードは両端にプラグを備え、パッチパネルはプラグが着脱可能に差し込まれるコネクタを複数個備えている。コンピュータネットワークにおける信号路に用いるパッチパネルとしては、コネクタとしてモジュラジャックを用い、ツイストペアケーブルの両端にモジュラプラグを備えたパッチコードが着脱可能に差し込まれるものが知られている（たとえば、特許文献１参照）。
【０００３】
この種のパッチパネルには、図４に示すように、たとえば１９インチラックと称するラック４に取り付けられるフレーム１を備えるものがあり、このパッチパネルでは、図５のように、フレーム１の左右両端部において上下２箇所ずつに固定用孔１２が設けられており、固定用孔１２に挿入される取付ねじ５をラック４に設けたねじ孔４ａに螺合させることにより、フレーム１がラック４に固定されるようにしてある。
【特許文献１】特許第３４８２９０７号公報（第００１３段落、図３）
【発明の開示】
【発明が解決しようとする課題】
【０００４】
ところで、上述した構成では、４個の固定用孔１２にそれぞれ取付ねじ５を挿入するものであるから、少なくとも左右１個ずつの固定用孔１２の位置をねじ孔４ａに合わせ、固定用孔１２に挿入した取付ねじ５でフレーム１をラック４に固定するまでは、パッチパネルを片手で支えておく必要があり、パッチパネルをラック４に取り付ける際の作業性が悪いという問題を有している。すなわち、質量が比較的大きいパッチパネルを片手で支えた状態で取付ねじ５の締付作業を行うことになるから、取付ねじ５の締付作業において作業が不安定になるという問題がある。
【０００５】
本発明は上記事由に鑑みて為されたものであり、その目的は、取付ねじの締付作業時にフレームの荷重の少なくとも一部をラックで受けることができるようにし、取付ねじによるフレームの固定作業の際の作業性を向上させたパッチパネルを提供することにある。
【課題を解決するための手段】
【０００６】
請求項１の発明は、パッチコードの末端に設けたプラグが着脱自在に差し込まれるコネクタをラックに取り付けられるフレームに複数個保持したパッチパネルであって、フレームの側部には、フレームをラックに固定するための取付ねじを挿入する固定用孔であってフレームの周縁に開放されるとともに取付ねじをフレームの周縁から導入する幅寸法を有した導入用スリットに連通する固定用孔が形成されて成ることを特徴とする。
【０００７】
この構成によれば、フレームの側部において固定用孔に挿入される取付ねじをラックに取り付けた状態でフレームに設けた導入用スリットを通してフレームの固定用孔に取付ねじを導入することができるから、取付ねじによってフレームの荷重の一部を受けることができ、フレームをラックに固定する作業の際にフレームを支持する負担が軽減され、取付ねじによるフレームの固定作業における作業性が従来構成に比較して向上する。
【０００８】
請求項２の発明では、請求項１の発明において、前記固定用孔はフレームの左右両側部に形成され、前記導入用スリットは一端が固定用孔に連続し他端がフレームの下縁に開放されていることを特徴とする。
【０００９】
この構成によれば、フレームの左右両側部において固定用孔に挿入される２本の取付ねじをラックに取り付けた状態でフレームに設けた導入用スリットを通してフレームの固定用孔に２本の取付ねじを導入することができるから、取付ねじによってフレームをラックに固定する作業の際にフレームを片手で支えずに仮固定することができ、取付ねじによるフレームの固定作業における作業性が従来構成に比較して大幅に向上する。
【発明の効果】
【００１０】
本発明の構成によれば、フレームの側部において固定用孔に挿入される取付ねじをラックに取り付けた状態でフレームに設けた導入用スリットを通してフレームの固定用孔に取付ねじを導入することができるから、取付ねじによってフレームの荷重の一部を受けることができ、フレームをラックに固定する作業の際にフレームを支持する負担が軽減され、取付ねじによるフレームの固定作業における作業性が従来構成に比較して向上するという利点を有する。
【発明を実施するための最良の形態】
【００１１】
以下に説明するパッチパネルは、図１に示すように、合成樹脂成形品のパネル３にコネクタとしてモジュラジャック２を複数個取り付け、パネル３を金属製のフレーム１に取り付けた構成を有している。図示例ではフレーム１に４個のパネル３を取り付け、１枚のパネル３には６個のモジュラジャック２を取り付けている。
【００１２】
モジュラジャック２は、器体２０の前面にプラグとしてのモジュラプラグ（図示せず）が挿入されるプラグ挿入口２１が開口し、ツイストペアケーブル（図示せず）が接続される端子台２２を器体２０の後端部に備える。プラグ挿入口２１の内部にはモジュラプラグの接触子に接触可能なコンタクト（図示せず）が配列され、端子台２２には各コンタクトに電気的に接続されたＩＤＣ端子（図示せず）が配列される。ＩＤＣ端子は、周知のものであって、中央部に圧接スリットを有する二股のフォーク状に形成され、圧接スリットの開口端から圧接スリット内に絶縁被覆電線を圧入すると、圧接スリットの両側縁で絶縁被覆を剥いで、絶縁被覆電線の内部の芯線と圧接スリットの両側部とが電気的に接続されるものである。また、ＩＤＣ端子に接続されたツイストペアケーブルは端子台２２の後端部に形成された導出口２４（図３参照）を通して外部に引き出される。
【００１３】
パネル３は前板３０の背面側にモジュラジャック２を保持するものであって、前板３０において各モジュラジャック２に対応する部位には、矩形状に開口し前板３０の表裏に貫通する取付口３１が開口する。前板３０の背面において取付口３１の周部には、図１および図３を参照するとわかるように、取付口３１の各辺ごとに保持片３２ａ〜３２ｃが設けられる。つまり、上下の保持片３２ａ，３２ｂでモジュラジャック２を挟むことによりモジュラジャック２を保持し、左右の保持片３２ｃによりモジュラジャック２の左右の動きを規制している。また、上の保持片３２ａには器体２０の上面に設けた係合溝２３に着脱可能に係合する爪部（図示せず）が形成されている。
【００１４】
パネル３の前板３０の背面には、図３に示すように、フレーム１にパネル３を結合するために、断面Ｌ字状の引掛片３３が上部において突設され、引掛爪（図示せず）が下部において設けられている。引掛爪は上下方向に可撓である可撓片から下向きに突設されており、フレーム１に設けた取付窓１４（後述する）の周部に引掛片３３と引掛爪とを係止させることによって、パネル３がフレーム１に取着されるようになっている。また、フレーム１における取付窓１４の周部には位置決め孔１５が穿孔されており、パネル３の前板３０の背面に突設された位置決め突片３４を位置決め孔１５に挿入することによって、フレーム１に対するパネル３が左右方向の動きが規制される。
【００１５】
フレーム１は、図１に示すように、各パネル３がそれぞれ取着される複数個（実施形態では４個）の取付窓１４を左右方向に並設した矩形枠状の前枠１０を備え、前枠１０の左右両側部であってパネル３と重複しない部位にそれぞれ固定片１１を備える。各固定片１１にはフレーム１をラック４に固定するための取付ねじ５（図２参照）が挿入される上下２個ずつの固定用孔１２ａ，１２ｂが形成される。また、各取付窓１４の上下両縁には上述した引掛片３３と引掛爪とがそれぞれ係止される係止縁１４ａ、１４ｂが形成される。
【００１６】
前枠１０の上縁からは後方に向かって上片１６が延設され、前枠１０の下縁からは後方に向かって下片１７が延設される。下片１７はパネル３をフレーム１に取り付けたときのモジュラジャック２の後端よりも後方まで延長されており、下片１７の後端縁には段差部１７ａを介してケーブル保持片１８が連続する。段差部１７ａは下片１７よりもケーブル保持片１８が上方に位置するように形成されている。ケーブル保持片１８には、モジュラジャック２に接続されたツイストペアケーブルを結束するケーブルタイ（紐状の結束部材）を取り付けるための結束用孔１８ａが複数形成されている。したがって、１個の結束用孔１８ａにケーブルタイを通すか、隣接する２個の結束用孔１８ａにケーブルタイを通し、ツイストペアケーブルをケーブルタイでケーブル保持片１８の一部に結び付ければ、ツイストペアケーブルを所望の方向に誘導することが可能になる。下片１７の後端部の両側縁にはそれぞれ側片１７ｂが立設され、各側片１７ｂには合成樹脂製の保護板１９の一端部が貼着される。したがって、モジュラジャック２に接続されたツイストペアケーブルの先端がラック４に接触しないように保護板１９で隔絶することができる。
【００１７】
ところで、固定片１１に設けた上側の固定用孔１２ａは周縁が閉じた孔であるが、下側の固定用孔１２ｂは周縁下部が開放され導入用スリット１３の上端に連通する。導入用スリット１３の下端は固定片１１の下縁（すなわち、フレーム１の下縁）に開放される。導入用スリット１３の幅寸法は、取付ねじ５の脚部をフレーム１の下縁から固定用孔１２ｂに導入できる程度に設定されている。したがって、パッチパネルをラック４に取り付けるに際しては、ラック４に設けたねじ孔４ａに取付ねじ５を螺合させ完全に締め付けていない状態で、取付ねじ５に導入用スリット１３を位置合わせすれば、導入用スリット１３を通して取付ねじ５の脚部を固定用孔１２ｂに導入することができる。導入用スリット１３は左右１個ずつ設けられているから、フレーム１の左右両側部を２本の取付ねじ５によって支持することになり、フレーム１の荷重を取付ねじ５で受けることができる。言い換えると、フレーム１がラック４に仮固定されることになる。この状態ではフレーム１から手を離してもフレーム１が落下することはないから、固定用孔１２ｂに挿入した取付ねじ５の締付作業を片手でフレーム１を支持することなく行うことができ、さらに残りの固定用孔１２ａに挿入した取付ねじ５の締付作業も容易に行うことができる。
【００１８】
上述の構成例ではコネクタとしてモジュラジャックを用い、プラグとしてモジュラプラグを用いているが、コネクタおよびプラグの構成は目的に応じて適宜のものを選択することが可能であって、たとえば、光コネクタを構成するコネクタおよびプラグを用いることも可能である。また、導入用スリット１３は上下方向ではなく固定用孔１２ｂから斜め下向きに延長される形状としてもよい。あるいはまた、フレームの左右両側部の２個の固定用孔１２ｂに導入用スリット１３を設けるのではなく、左右の一方の固定用孔１２ｂにのみ導入用スリット１３を設けただけでもフレーム１の一部の荷重を取付ねじ５で支持できるから、作業性が向上する。さらに、左右の一方の固定用孔１２ｂにのみ導入用スリット１３を設ける場合には、導入用スリット１３をフレーム１の側縁に開放する形状としてもよく、フレーム１の上縁に開放しＵ字状の経路でフレーム１の上部の固定用孔１２ａに連通する形状としてもよい。
【図面の簡単な説明】
【００１９】
【図１】本発明の実施形態を示す分解斜視図である。
【図２】同上の要部正面図である。
【図３】同上の要部斜視図である。
【図４】従来例を示す斜視図である。
【図５】同上の要部正面図である。
【符号の説明】
【００２０】
１  フレーム
２  モジュラジャック
３  パネル
４  ラック
５  取付ねじ
１２ａ，１２ｂ  固定用孔
１３  導入用スリット
【図１】
2005209388.tif 000003
【図２】
2005209388.tif 000004
【図３】
2005209388.tif 000005
【図４】
2005209388.tif 000006
【図５】
2005209388.tif 000007